(57)【特許請求の範囲】
【請求項１】
物体側より像側へ順に、正の屈折力を有する第１レンズ群と、負の屈折力を有する第２レンズ群と、正の屈折力を有する第３レンズ群と、第４レンズ群又は第４レンズ群及び第５レンズ群とからなり、各レンズ群の間隔を変化させることにより変倍を行う、像ブレ補正機能を有するズームレンズであって、
前記第２レンズ群は物体側から順に、負レンズと、負レンズと、正レンズからなり、
前記第３レンズ群は、絞りと、少なくとも一つの正レンズと負レンズからなる接合レンズを有し、物体側から順に、正の屈折力を有する３ａレンズ群と、正の屈折力を有する３ｂレンズ群とから構成され、前記３ｂレンズ群は、最も像面側に正の屈折力を有する一枚の両凸形状の正レンズを有し、前記第３レンズ群の前記３ａレンズ群、または前記３ｂレンズ群のいずれか一方を光軸に垂直な方向に移動させることにより、像ブレを補正し、
前記第２レンズ群は、以下の条件式を満足し、
０．３３＜｜ｆ２｜／（ｆｗ×ｆｔ）1/2＜０．４１      （６）
前記第１レンズ群は、以下の条件式を満足することを特徴とするズームレンズ。
２．０＜ｆ１／（ｆｗ×ｆｔ）1/2＜２．９      （７）
但し、
ｆ１：前記第１レンズ群の焦点距離
ｆ２：前記第２レンズ群の焦点距離
ｆｗ：広角端における前記ズームレンズ全系の焦点距離
ｆｔ：望遠端における前記ズームレンズ全系の焦点距離
【請求項２】
前記ズームレンズは、物体側より像側へ順に正の屈折力を有する第１レンズ群と、負の屈折力を有する第２レンズ群と、正の屈折力を有する第３レンズ群と、正の屈折力を有する第４レンズ群から構成されることを特徴とする請求項１に記載のズームレンズ。
【請求項３】
前記ズームレンズは、物体側より像側へ順に正の屈折力を有する第１レンズ群と、負の屈折力を有する第２レンズ群と、正の屈折力を有する第３レンズ群と、負の屈折力を有する第４レンズ群と、正の屈折力を有する第５レンズ群とから構成されることを特徴とする請求項１に記載のズームレンズ。
【請求項４】
前記第３レンズ群の前記光軸と垂直方向に移動し像ブレを補正するレンズは、以下の条件式を満足することを特徴とする請求項１〜３のいずれかに記載のズームレンズ。
１．６５＜ｆ３ｔｅ／ｆ３＜３．０      （１）
但し、
ｆ３ｔｅ：前記第３レンズ群の光軸と垂直方向に移動し像ブレを補正するレンズ
ｆ３：前記第３レンズ群の焦点距離
【請求項５】
前記３ａレンズ群と前記３ｂレンズ群は、以下の条件式を満足することを特徴とする請求項１〜４のいずれかに記載のズームレンズ。
０．４＜ｆ３ａ／ｆ３ｂ＜２．３      （２）
但し、
ｆ３ａ：前記３ａレンズ群の焦点距離
ｆ３ｂ：前記３ｂレンズ群の焦点距離
【請求項６】
前記３ｂレンズ群の最も像側の両凸形状の正レンズは、少なくとも一つの非球面を有し、前記非球面形状は、レンズの光軸から外周部に向かうに従って、基準球面における正の屈折力より正の屈折力が弱くなるような形状を有し、以下の条件式を満足することを特徴とする請求項１〜５のいずれかに記載のズームレンズ。
１．２＜ｆ３ｐ／ｆ３ｂ＜４．１      （３）
但し、
ｆ３ｐ：前記３ｂレンズ群の最も像側の正レンズの焦点距離
ｆ３ｂ：前記３ｂレンズ群の焦点距離
【請求項７】
前記第３レンズ群の少なくとも一つの接合レンズは、以下の条件式を満足することを特徴とする請求項１〜６のいずれかに記載のズームレンズ。
２７＜νｄ３ｐ−νｄ３ｎ      （４）
但し、
νｄ３ｐ：前記第３レンズ群の接合レンズにおける正レンズのアッベ数
νｄ３ｎ：前記第３レンズ群の接合レンズにおける負レンズのアッベ数
【請求項８】
前記第２レンズ群と前記第３レンズ群は、以下の条件式を満足することを特徴とする請求項１〜７のいずれかに記載のズームレンズ。
０．５＜｜ｆ２｜／ｆ３＜０．９      （５）
但し、
ｆ２：前記第２レンズ群の焦点距離
ｆ３：前記第３レンズ群の焦点距離
【請求項９】
前記第１レンズ群は、負レンズと正レンズの接合レンズを有し、以下の条件式を満足することを特徴とする請求項１〜８のいずれかに記載のズームレンズ。
４５＜νｄ１ｐ−νｄ１ｎ      （８）
但し、
νｄ１ｐ：前記第１レンズ群の接合レンズにおける正レンズのアッベ数
νｄ１ｎ：前記第１レンズ群の接合レンズにおける負レンズのアッベ数
【請求項１０】
前記第２レンズ群の物体側から２番目の負レンズと最も像側の正レンズは、以下の条件式を満足することを特徴とする請求項１〜９のいずれかに記載のズームレンズ。
３０＜νｄ２ｎ−νｄ２ｐ      （９）
但し、
νｄ２ｎ：前記第２レンズ群の物体側から２番目の負レンズのアッベ数
νｄ２ｐ：前記第２レンズ群の最も像側の正レンズのアッベ数
【請求項１１】
前記光軸に対し垂直方向に移動し像ブレを補正するレンズは、少なくとも一つ以上の接合レンズを含むことを特徴とする請求項１〜１０のいずれかに記載のズームレンズ。
【請求項１２】
前記第３レンズ群の絞りは、最も物体側または前記３ａレンズ群と前記３ｂレンズ群の間に位置することを特徴とする請求項１〜１１のいずれかに記載のズームレンズ。
【請求項１３】
最も像面側のレンズ群は、プラスチックから形成された一枚の正レンズからなり、少なくとも一枚の非球面が形成されていることを特徴とする請求項１〜１２のいずれかに記載のズームレンズ。
【請求項１４】
実質的にパワーを有しないレンズを有することを特徴とする請求項１〜１３のいずれかに記載のズームレンズ。
【発明の詳細な説明】
【技術分野】
【０００１】
本発明は、デジタルスチルカメラ、ビデオカメラ等に用いられ、手振れ、振動等によって生じる像の振れを光学的に補正する手振れ補正機能（像ブレ補正機能ともいう）を備えた、小型のズームレンズに関するものである。
【背景技術】
【０００２】
近年、ＣＣＤ（Ｃｈａｒｇｅｄ  Ｃｏｕｐｌｅｄ  Ｄｅｖｉｃｅ）型イメージセンサあるいはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型イメージセンサ等の撮像素子の高集積化、小型化が図られてきており、これに伴ってＣＣＤやＣＭＯＳを用いたデジタルスチルカメラやビデオカメラ等の撮像装置においては、高機能化と共に装置全体としての小型化が求められている。
【０００３】
また、デジタルスチルカメラは、その一般化に伴い使用されるシチュエーションも広がってきている。このため、デジタルスチルカメラは更なる携帯性の向上、即ち小型化及び軽量化が図られている。
【０００４】
しかし、このようなデジタルスチルカメラやビデオカメラでは、被写体を撮影する際に、手ブレなどにより撮影系に振動が生じると、撮影した画像にぶれが生じる。このため、従来から撮影画像のぶれを防止する像ブレ補正機能を備えたズームレンズが種々提案されている。
【０００５】
像ブレ補正機能を備えた撮影系としてのズームレンズにおいては、一部のレンズ群、またはレンズ群内の一部のレンズを変位させて像ぶれを補正することができるものが数多く知られている。
【０００６】
又、物体側から順に正、負、正の屈折力を有したレンズ群より構成されたズームレンズにおいて、第３レンズ群全体、または一部のレンズ群を光軸と垂直方向に振動させて像ぶれを補正することができるものが知られている。
【先行技術文献】
【特許文献】
【０００７】
【特許文献ｌ】特開２００４−２１２６１１号公報
【特許文献２】特開２００８−１８１１４７号公報
【特許文献３】特開２００９−２８２４３９号公報
【特許文献４】特開２０１０−０７９３１０号公報
【発明の概要】
【発明が解決しようとする課題】
【０００８】
しかるに、特許文献１のズームレンズによれば、手振れ補正を行うレンズは３群内の一部のレンズとなっており、手振れ補正を行うレンズを軽量化することができ可動のための機構の複雑化を避けることは可能だが、レンズ枚数が多くなり、５群の移動可能な群を有しているにもかかわらずズーム比が小さいものとなってしまっている。
【０００９】
次に、特許文献２のズームレンズによれば、特許文献１のものと同様に、第３レンズ群の一部のレンズにより像ブレ補正を行い、手振れ補正後の良好な光学性能を確保することは可能となっているが、レンズ枚数が多く高コストとなっている。
【００１０】
一方、特許文献３のズームレンズによれば、２０倍程度の高変倍を得ることか可能となっているが、各レンズ群の焦点距離が長く、それゆえズームレンズを搭載する装置の大型化を招いている。
【００１１】
又、特許文献４のズームレンズによれば、第３レンズ群全体で像ブレ補正を行っているため、像ブレ補正後の良好な光学性能を確保することは可能となっているが、像ブレ補正群が大きく、駆動のための駆動機構が複雑化してしまい、装置の大型化につながっている。
【００１２】
本発明は、かかる問題に鑑みてなされたものであり、デジタルスチルカメラやビデオカメラ等に好適な、コンパクトながら高変倍比を持ち、像ブレ補正機能を有したズームレンズを提供することを目的とする。
【課題を解決するための手段】
【００１３】
請求項１に記載のズームレンズは、物体側より像側へ順に、正の屈折力を有する第１レンズ群と、負の屈折力を有する第２レンズ群と、正の屈折力を有する第３レンズ群と、第４レンズ群又は第４レンズ群及び第５レンズ群とからなり、各レンズ群の間隔を変化させることにより変倍を行う、像ブレ補正機能を有するズームレンズであって、
前記第２レンズ群は物体側から順に、負レンズと、負レンズと、正レンズからなり、
前記第３レンズ群は、絞りと、少なくとも一つの正レンズと負レンズからなる接合レンズを有し、物体側から順に、正の屈折力を有する３ａレンズ群と、正の屈折力を有する３ｂレンズ群とから構成され、前記３ｂレンズ群は、最も像面側に正の屈折力を有する一枚の両凸形状の正レンズを有し、前記第３レンズ群の前記３ａレンズ群、または前記３ｂレンズ群のいずれか一方を光軸に垂直な方向に移動させることにより、像ブレを補正し、
前記第２レンズ群は、以下の条件式を満足し、
０．３３＜｜ｆ２｜／（ｆｗ×ｆｔ）1/2＜０．４１      （６）
前記第１レンズ群は、以下の条件式を満足することを特徴とする。
２．０＜ｆ１／（ｆｗ×ｆｔ）1/2＜２．９      （７）
但し、
ｆ１：前記第１レンズ群の焦点距離
ｆ２：前記第２レンズ群の焦点距離
ｆｗ：広角端における前記ズームレンズ全系の焦点距離
ｆｔ：望遠端における前記ズームレンズ全系の焦点距離
【００１４】
本発明の像ブレ補正機能を有したズームレンズにおいては、ズームレンズ全系を物体側より像側へ順に、正の屈折力を有する第１レンズ群と、負の屈折力を有する第２レンズ群と、正の屈折力を有する第３レンズ群と、第４レンズ群又は第４レンズ群及び第５レンズ群とから構成し、各レンズ群の間隔を変化させることにより高変倍での良好な光学性能を得ることができる。更に、各レンズ群の空気間隔を変化させるように、各レンズ群を光軸方向に移動して変位及び焦点位置変化補正を行うことにより、収差補正の自由度が増え、良好な光学性能を維持しながら、全長及び前玉径のコンパクト化を実現できる。
【００１５】
また、第３レンズ群に絞りを有することにより、射出瞳位置を撮像素子から遠ざけることができるので、撮像素子がＣＣＤやＣＭＯＳの場合に必要となってくるテレセントリック性を確保しやすくなり、さらに入射瞳位置をより物体側に位置させることができるので、前玉径と後玉径の小型化を実現することができる。また、第３レンズ群が正レンズと負レンズの接合レンズを有することにより、第３レンズ群で発生する軸上色収差や球面収差を抑えることができる。
【００１６】
更に、第３レンズ群を、物体側から順に、正の屈折力を有する３ａレンズ群と、正の屈折力を有する３ｂレンズ群とから構成することにより、パワーの強い第３レンズ群をパワーの弱い二つの群要素とすることができ、鏡胴への組み込み後の誤差変動に対する、レンズ群としての収差変動を抑えることができ、光学性能の劣化を低減させることができる。又、３ｂレンズ群を、最も像面側に正の屈折力を有する一枚の両凸形状の正レンズを有する構成にすることにより、第３レンズ群で発生するコマ収差や像面湾曲を補正することが可能となる。
【００１７】
像ブレを補正する場合、小型なレンズを光軸と垂直方向に移動させることが望ましい。これは小型のレンズを補正レンズ群とすることで、像ブレを補正するための機構が複雑になり大型化してしまうことを防ぐためである。そのため、軸外光束が集まってきている絞りを含む第３レンズ群の３ａレンズ群、または３ｂレンズ群のいずれかー方を、光軸に垂直な方向に移動させることにより、像ブレ補正機構と装置の小型化を図ることができる。
条件式（６）の値が下限を下回って小さくなると、第２レンズ群のパワーが強くなりすぎてしまい、第２レンズ群で発生するコマ収差や像面湾曲等が大きくなってしまう恐れがある。また、第２レンズ群のパワーが強くなることにより誤差変動に対する収差変動が大きくなってしまい、量産性が悪化する恐れがある。一方、条件式（６）の値が上限を上回って大きくなると、第２レンズ群のパワーが弱くなりすぎてしまい、変倍を確保するための移動量が大きくなってしまうため、ズームレンズ全長が長大化してしまう恐れがある。よって、条件式（６）を満たすことによって、全長の小型化と良好な光学性能を確保することができ、量産性を向上させることができる。
条件式（７）の値が下限を下回って小さくなると、第１レンズ群のパワーが強くなりすぎてしまい、主に広角端で発生する軸外光束の収差を補正することが困難となってしまう恐れがある。一方、条件式（７）の値が上限を上回って大きくなると、第１レンズ群のパワーが弱くなりすぎてしまい、有効径や全長が長大化してしまう恐れがある。よって、条件式（７）をみたすことにより、有効径・全長の抑制と良好な光学性能を確保することが可能となる。
第２レンズ群を物体側から順に、負レンズ、負レンズ、正レンズの構成にすることによって、像面湾曲や、歪曲収差、倍率色収差を良好に補正することができる。なお、第２レンズ群を物体側から順に、負レンズ、負レンズと正レンズの接合レンズにすることが更に望ましい。負レンズ、負レンズと正レンズの接合レンズとすることでレンズ群要素を２つに減らすことができ、鏡胴への組み込み時のレンズ間隔誤差や偏芯誤差要因を減らせることができ、生産性を向上させることができる。
【００１８】
請求項２に記載のズームレンズは、請求項１に記載の発明において、前記ズームレンズは、物体側より像側へ順に正の屈折力を有する第１レンズ群と、負の屈折力を有する第２レンズ群と、正の屈折力を有する第３レンズ群と、正の屈折力を有する第４レンズ群から構成されることを特徴とする。
【００１９】
ズームレンズ全系を物体側より像側へ順に、正の屈折力を有する第１レンズ群と、負の屈折力を有する第２レンズ群と、正の屈折力を有する第３レンズ群と、正の屈折力を有する第４レンズ群とから構成にすることにより、レンズ枚数を減らすことができ光学系、沈胴時の総厚を小型化することができる。
【００２０】
請求項３に記載のズームレンズは、請求項１に記載の発明において、前記ズームレンズは、物体側より像側へ順に正の屈折力を有する第１レンズ群と、負の屈折力を有する第２レンズ群と、正の屈折力を有する第３レンズ群と、負の屈折力を有する第４レンズ群と、正の屈折力を有する第５レンズ群とから構成されることを特徴とする。
【００２１】
ズームレンズ全系を物体側より像側へ順に、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とから構成にすることにより、良好な光学特性を確保できる。
【００２２】
請求項４に記載のズームレンズは、請求項１〜３のいずれかに記載の発明において、前記第３レンズ群の前記光軸と垂直方向に移動し像ブレを補正するレンズは、以下の条件式を満足することを特徴とする。
１．６５＜ｆ３ｔｅ／ｆ３＜３．０      （１）
但し、
ｆ３ｔｅ：前記第３レンズ群の光軸と垂直方向に移動し像ブレを補正するレンズ
ｆ３：前記第３レンズ群の焦点距離
【００２３】
条件式（１）の値が下限を下回り小さくなると、第３レンズ群の光軸と垂直方向に移動し像ブレを補正するレンズ（以下、補正レンズともいう）の移動量を小さくすることは可能であるが、適切に像ブレ補正を行うための制御が難しくなり、補正残りが生じてしまう恐れがある。一方、条件式（１）の値が上限を上回って大きくなると、像ブレ補正のための制御は容易になるものの、補正レンズのパワーが弱くなりすぎてしまい、像ブレ補正時に補正レンズの移動量が大きくなってしまい、それゆえ補正レンズを駆動する駆動機構が大型化してしまう恐れがある。よって、条件式（１）を満たすことにより、適切な補正レンズの移動量と、像ブレ補正時の良好な光学性能の確保とを両立することが可能となる。
【００２４】
請求項５に記載のズームレンズは、請求項１〜４のいずれかに記載の発明において、前記３ａレンズ群と前記３ｂレンズ群は、以下の条件式を満足することを特徴とする。
０．４＜ｆ３ａ／ｆ３ｂ＜２．３      （２）
但し、
ｆ３ａ：前記３ａレンズ群の焦点距離
ｆ３ｂ：前記３ｂレンズ群の焦点距離
【００２５】
条件式（２）の値が下限を下回って小さくなると、３ａレンズ群のパワーが強くなりすぎてしまい、鏡胴への組み込み時のレンズ群としての偏芯誤差に対する収差変動が大きくなってしまい、量産性が損なわれてしまう可能性がある。一方、条件式（２）の値が上限を上回って大きくなると、３ｂレンズ群のパワーが強くなり過ぎ、第３レンズ群の主点位置がより像側に配置されるため、第１レンズ群から第３レンズ群で構成される光学系のバックフォーカスが長くなり、光学系が大型化してしまう恐れがある。よって、条件式（２）を満たすことによって、量産性の確保と、ズームレンズを搭載する装置の小型化の両立が可能となる。
【００２６】
請求項６に記載のズームレンズは、請求項１〜５のいずれかに記載の発明において、前記３ｂレンズ群の最も像側の両凸形状の正レンズは、少なくとも一つの非球面を有し、前記非球面形状は、レンズの光軸から外周部に向かうに従って、基準球面における正の屈折力より正の屈折力が弱くなるような形状を有し、以下の条件式を満足することを特徴とする。
１．２＜ｆ３ｐ／ｆ３ｂ＜４．１      （３）
但し、
ｆ３ｐ：前記３ｂレンズ群の最も像側の正レンズの焦点距離
ｆ３ｂ：前記３ｂレンズ群の焦点距離
【００２７】
３ｂレンズ群の最も像側の両凸正レンズの少なくとも一つの面の非球面形状が、レンズの光軸から外周部に向かうに従って、基準球面における屈折力より正の屈折力か弱くなるような形状にすることにより、第３レンズ群内で発生する、特に軸外光束におけるコマ収差や像面湾曲をより効果的に補正することが可能である。また、条件式（３）の値が下限を下回って小さくなると、第３レンズ群のパワーが弱くなってしまうので、変倍を確保するための移動量が大きくなってしまい、全長が大型化してしまう恐れがある。一方、条件式（３）の値が上限を上回って大きくなると、３ｂレンズ群の最も像側の正レンズに比べ３ｂレンズ群のパワーが強くなりすぎてしまい、第３ｂレンズ群で発生するコマ収差や非点収差、像面湾曲の補正が不足してしまい、良好な光学性能を確保することが困難となる恐れがある。特に、３ｂレンズ群を光軸と垂直方向に移動させ像ブレを補正する場合、３ｂレンズ群内での収差が補正されないことにより、像ブレ補正後の良好な性能を確保することが困難となってしまう恐れがある。よって、条件式（３）を満たすことにより、良好な光学性能の確保と、ズームレンズ全長の短縮化を両立できる。
【００２８】
請求項７に記載のズームレンズは、請求項１〜６のいずれかに記載の発明において、前記第３レンズ群の少なくとも一つの接合レンズは、以下の条件式を満足することを特徴とする。
２７＜νｄ３ｐ−νｄ３ｎ      （４）
但し、
νｄ３ｐ：前記第３レンズ群の接合レンズにおける正レンズのアッベ数
νｄ３ｎ：前記第３レンズ群の接合レンズにおける負レンズのアッベ数
【００２９】
条件式（４）の値が下限を下回って小さくなると、ｄ線に対してｇ線がよりアンダーとなるような軸上色収差が発生する恐れがある。よって、条件式（４）を満たすことによって第３レンズ群で発生する色収差を良好に補正することができ、広角端から望遠端までの収差変動による性能の劣化を防ぐことができる。
【００３０】
請求項８に記載のズームレンズは、請求項１〜７のいずれかに記載の発明において、前記第２レンズ群と前記第３レンズ群は、以下の条件式を満足することを特徴とする。
０．５＜｜ｆ２｜／ｆ３＜０．９      （５）
但し、
ｆ２：前記第２レンズ群の焦点距離
ｆ３：前記第３レンズ群の焦点距離
【００３１】
条件式（５）の値が下限を下回って小さくなると、第２レンズ群のパワーが強くなりすぎてしまい、コマ収差や非点収差、像面湾曲等の諸収差が悪化し光学性能が劣化する恐れがある。また、パワーが強くなることにより誤差変動に対する収差変動が大きくなり、良好な光学性能を得ることが難しくなり、量産性が悪化する恐れがある。一方、条件式（５）の値が上限を上回って大きくなると、第２レンズ群のパワーが弱くなりすぎてしまい、変倍を確保するために第２レンズ群の移動量が大きくなり、ズームレンズ全長が長大化してしまう恐れがある。よって、条件式（５）を満たすことにより、全長の小型化と良好な光学性能を確保することができ、量産性を向上させることができる。
【００３６】
請求項９に記載のズームレンズは、請求項１〜８のいずれかに記載の発明において、前記第１レンズ群は、負レンズと正レンズの接合レンズを有し、以下の条件式を満足することを特徴とする。
４５＜νｄ１ｐ−νｄ１ｎ      （８）
但し、
νｄ１ｐ：前記第１レンズ群の接合レンズにおける正レンズのアッベ数
νｄ１ｎ：前記第１レンズ群の接合レンズにおける負レンズのアッベ数
【００３７】
第１レンズ群が負レンズと正レンズの接合レンズを有することにより、第１レンズ群の軸上色収差や倍率色収差を補正することが可能となる。さらに、条件式（８）の値が下限を下回って小さくなると、良好な色収差の補正が困難となる恐れがある。具体的には、ｄ線に対しｇ線がよりアンダーになるような軸上色収差となり、ｄ線に対しｇ線がより高い像高になるような倍率色収差が発生する恐れがある。一方、条件式（８）を満たすことにより、第１レンズ群で発生する色収差を良好に補正することができる。
【００４０】
請求項１０に記載のズームレンズは、請求項１〜９のいずれかに記載の発明において、前記第２レンズ群の物体側から２番目の負レンズと最も像側の正レンズは、以下の条件式を満足することを特徴とする。
３０＜νｄ２ｎ−νｄ２ｐ       （９）
但し、
νｄ２ｎ：前記第２レンズ群の物体側から２番目の負レンズのアッベ数
νｄ２ｐ：前記第２レンズ群の最も像側の正レンズのアッベ数
【００４１】
条件式（９）の値が下限を下回って小さくなる、ｄ線に対しｇ線がよりオーバーになるような軸上色収差となり、ｄ線に対しｇ線がより低い像高に到達するような倍率色収差が生じる恐れがある。よって、条件式（９）を満たすことにより、第２レンズ群で発生する色収差を良好に補正することが可能となる。
【００４２】
請求項１１に記載のズームレンズは、請求項１〜１０のいずれかに記載の発明において、前記光軸に対し垂直方向に移動し像ブレを補正するレンズは、少なくとも一つ以上の接合レンズを含むことを特徴とする。
【００４３】
補正レンズは、像ブレ補正後の性能を保つために、補正レンズだけで極力諸収差が補正されていることが望ましい。そこで、補正レンズに少なくとも一つ以上の接合レンズを含むことにより、手振れ補正時の色収差や諸収差の発生を低減させることができ、手振れ補正後の光学性能を確保することが可能となる。
【００４４】
請求項１２に記載のズームレンズは、請求項１〜１１のいずれかに記載の発明において、前記第３レンズ群の絞りは、最も物体側または前記３ａレンズ群と前記３ｂレンズ群の間に位置することを特徴とする。
【００４５】
第３レンズ群の絞りを最も物体側に位置させることにより、射出瞳位置を撮像素子からより遠ざけることが可能となり、テレセントリック性をより確保しやすくなる。また、入射瞳位置をより物体側に位置させることができるため、前玉怪と後玉径の小型化に有利である。絞りを３ａレンズ群と３ｂレンズ群の間に位置させることにより、第３レンズ群を絞りに対して対称の構成とすることができるので、第３レンズ群で発生する諸収差を打ち消しあうようにすることができ、良好な光学性能を確保することができる。
【００４６】
請求項１３に記載のズームレンズは、請求項１〜１２のいずれかに記載の発明において、最も像面側のレンズ群は、プラスチックから形成された一枚の正レンズからなり、少なくとも一枚の非球面が形成されていることを特徴とする。
【００４７】
最も像面側のレンズ群を、プラスチックから形成された一枚の正レンズで構成することにより、ガラスレンズを使用したときに比べ、低コスト化を達成することができる。また、最も像面側のレンズ群以降では、パワーを待った光学素子が存在しないので、最も像面側のレンズ群で発生した収差は、その後の光線経路において拡大されず目立ちにくいという利点もある。従って、屈折率の低いプラスチックレンズで構成しても、温度変化による光学性能の劣化が少なく、全レンズ系の光学性能へ与える影響が小さくなる。更に、少なくとも１面を非球面とすることで軸外光束における、像面湾曲や歪曲収差を補正することができ、良好な光学性能を得ることができる。
【００４８】
請求項１４に記載のズームレンズは、請求項１〜１３のいずれかに記載の発明において、実質的にパワーを有しないレンズを有することを特徴とする。
【発明の効果】
【００４９】
本発明によれば、デジタルスチルカメラやビデオカメラ等に好適な、コンパクトながら高変倍比を持ち、像ブレ補正機能を有したズームレンズを提供することができる。
【図面の簡単な説明】
【００５０】
【図１】実施例１のズームレンズの広角端（ａ）、中間（ｂ）、望遠端（ｃ）におけるレンズ断面図である。
【図２】実施例１の広角端における球面収差（ａ）、非点収差（ｂ）、歪曲収差（ｃ）の収差図である。
【図３】実施例１の中間における球面収差（ａ）、非点収差（ｂ）、歪曲収差（ｃ）の収差図である。
【図４】実施例１の望遠端における球面収差（ａ）、非点収差（ｂ）、歪曲収差（ｃ）の収差図である。
【図５】実施例２のズームレンズの広角端（ａ）、中間（ｂ）、望遠端（ｃ）におけるレンズ断面図である。
【図６】実施例２の広角端における球面収差（ａ）、非点収差（ｂ）、歪曲収差（ｃ）の収差図である。
【図７】実施例２の中間における球面収差（ａ）、非点収差（ｂ）、歪曲収差（ｃ）の収差図である。
【図８】実施例２の望遠端における球面収差（ａ）、非点収差（ｂ）、歪曲収差（ｃ）の収差図である。
【図９】実施例３のズームレンズの広角端（ａ）、中間（ｂ）、望遠端（ｃ）におけるレンズ断面図である。
【図１０】実施例３の広角端における球面収差（ａ）、非点収差（ｂ）、歪曲収差（ｃ）の収差図である。
【図１１】実施例３の中間における球面収差（ａ）、非点収差（ｂ）、歪曲収差（ｃ）の収差図である。
【図１２】実施例３の望遠端における球面収差（ａ）、非点収差（ｂ）、歪曲収差（ｃ）の収差図である。
【図１３】実施例４のズームレンズの広角端（ａ）、中間（ｂ）、望遠端（ｃ）におけるレンズ断面図である。
【図１４】実施例４の広角端における球面収差（ａ）、非点収差（ｂ）、歪曲収差（ｃ）の収差図である。
【図１５】実施例４の中間における球面収差（ａ）、非点収差（ｂ）、歪曲収差（ｃ）の収差図である。
【図１６】実施例４の望遠端における球面収差（ａ）、非点収差（ｂ）、歪曲収差（ｃ）の収差図である。
【図１７】実施例５のズームレンズの広角端（ａ）、中間（ｂ）、望遠端（ｃ）におけるレンズ断面図である。
【図１８】実施例５の広角端における球面収差（ａ）、非点収差（ｂ）、歪曲収差（ｃ）の収差図である。
【図１９】実施例５の中間における球面収差（ａ）、非点収差（ｂ）、歪曲収差（ｃ）の収差図である。
【図２０】実施例５の望遠端における球面収差（ａ）、非点収差（ｂ）、歪曲収差（ｃ）の収差図である。
【発明を実施するための形態】
【００５１】
以下に、本発明のズームレンズの実施例を示す。各実施例に使用する記号は以下の通りである。
Ｆno：Ｆナンバー
２ω：画角
Ｒ：レンズ面の曲率半径
Ｄ：レンズ面の間隔
Ｎｄ：レンズ材料のｄ線での屈折率
νｄ：レンズ材料のアッベ数
ｆ：焦点距離
ｆＢ：バックフォーカス
Ｙ：固体撮像素子の撮像面片側対角最大像高
ENTP  ：入射瞳位置（第１面から入射瞳位置までの距離）
EXTP  ：射出瞳位置（撮像面から射出瞳位置までの距離）
H1    ：前側主点位置（第１面から前側主点位置までの距離）
H2    ：後側主点位置（最終面から後側主点位置までの距離）
また面No中の＊は非球面を表し、面の頂点を原点とし光軸方向をＸ軸として直交座標系において、頂点曲率をC、円錐定数をK、非球面係数をA4、A6、A8、A10、A12として以下の数式で表す。尚、これ以降（表のレンズデータ含む）において、１０のべき乗数（例えば ２．５×１０-03）を、Ｅ（例えば ２．５×Ｅ−０３）を用いて表すものとする。又、以下の実施例のコンストラクションデータを記載した表内に記載したＦ値、画角、バックフォーカスはすべて、無限の物体距離の時の値である。
また、バックフォーカスとは、カバーガラスの最終面から結像位置までの距離である。
【００５２】
【数１】
0005626705.tif 000002
【００５３】
（実施例１）
実施例１のレンズデータを表１に示す。図１は、実施例１のズームレンズの広角端（ａ）、中間（ｂ）、望遠端（ｃ）におけるレンズ断面図である。本実施例では、物体側より順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とからなる。第１レンズ群Ｇ１は、物体側より順に、負レンズＬ１と正レンズＬ２とを接合したレンズＬ１−２と、正レンズＬ３とを有する。第２レンズ群Ｇ２は、物体側より順に、負レンズＬ４と、負レンズＬ５と正レンズＬ６とを接合したレンズＬ５−６とを有する。第３レンズ群Ｌ３は、物体側より順に、絞りＳと、正レンズＬ７と、正レンズＬ８と負レンズＬ９とを接合したレンズＬ８−９と、正レンズ１０とを有する。第４レンズ群Ｇ４は、負レンズ１１を有する。第５レンズ群Ｇ５は、正レンズ１２を有する。ＣＧはカバーガラスであり、Ｉは固体撮像素子の撮像面である。
【００５４】
本実施例では、広角端から望遠端側へと変倍する際に、第１レンズ群Ｇ１は物体側に移動し、第２レンズ群Ｇ２は像側に移動し、第３レンズ群Ｇ３は物体側に移動し、第４レンズ群Ｇ４は広角端から中間に向かうに連れて物体側に移動し、中間から望遠端に向かうに連れて中間位置より像側へ移動し、第５レンズ群Ｇ５は固定される。尚、本実施例では、像ブレ補正時に、絞りＳと正レンズＬ７が、第1レンズ群Ｇ１から第5レンズ群Ｇ５で構成される光軸に対して直交方向に駆動される。絞りＳと正レンズＬ７が３ａレンズ群に相当し、レンズＬ８−９と正レンズ１０が３ｂレンズ群に相当する。
【００５５】
図２は、実施例１の広角端における球面収差（ａ）、非点収差（ｂ）、歪曲収差（ｃ）の収差図である。図３は、実施例１の中間における球面収差（ａ）、非点収差（ｂ）、歪曲収差（ｃ）の収差図である。図４は、実施例１の望遠端における球面収差（ａ）、非点収差（ｂ）、歪曲収差（ｃ）の収差図である。ここで、球面収差図において、ｇはｇ線、ｄはｄ線に対する球面収差量をそれぞれ表す。また、非点収差図及びメリディオナルコマ収差図において、実線Ｓはサジタル面、点線Ｍはメリディオナル面をそれぞれ表す（以下、同じ）。
【００５６】
［表１］
実施例1          
f(全系の焦点距離：ｍｍ)=4.7（広角端）、22.97（中間）、88.53（望遠端）
Fno=3.01（広角端）、5.30（中間）、5.89（望遠端）
fB(カバーガラスから結像面までの距離:ｍｍ)=1.1941
2ω(画角)=79°（広角端）、19°（中間）、5°（望遠端）
Y(撮像面片側対角最大像高：ｍｍ)=3.845(ただし理想像高)
面番号  R(mm)     D(mm)  Nd           νd
1       3859.119  0.80   1.910823     35.2
2       42.268    3.57   1.496997     81.6
3      -61.483    0.15
4       32.760    2.09   1.804200     46.5
5       116.149   d1
6       233.375   0.60   1.743299     49.2
7       9.050     4.37 
8      -9.978     0.50   1.563840     60.8
9       17.073    1.82   1.922860     20.8
10     -470.553   d2
11(絞り) 無限     0.30 
12*    -440.653   1.65   1.497103     81.5
13*    -9.455     0.15 
14      5.243     2.60   1.487490     70.4
15      69.386    2.80   1.910823     35.2
16      4.450     0.50
17*     6.583     2.94   1.583130     59.4
18*    -100.000   d3
19*    -12.154    1.00   1.622625     58.1
20*    -108.030   d4
21*    -53.956    2.34   1.583130     59.4
22*    -7.952     4.00 
23      無限      0.50   1.516798     64.1
24      無限      fB
手振れレンズ：11面〜13面
1群：1面〜5面      
2群：6面〜10面    
3群：11面〜18面
4群：19面〜20面
5群：21面〜22面
各ポジションの焦点距離(mm)、Fナンバー、群間(mm) 
F      Fno     d1      d2      d3      d4
広角端    4.70   3.01    1.00    24.06   1.36    1.84 
中間      22.97  5.30    19.72   7.56    8.57    5.86 
望遠端    88.53  5.89    40.01   1.00    11.32   5.85 
入射瞳位置(L1から像側が正)、射出瞳位置(撮像面より物体側が負)、        
前側主点位置(L1から像側が正)、後側主点位置(撮像面より物体側が負)
ENTP(mm)  EXTP(mm)  H1(mm)  H2(mm)
14.46     -92.60    18.44   -4.70 
51.06     126.72    76.89   -22.97 
191.16    56.79     347.86  -88.55 
レンズ群データ        
レンズ群    始面    焦点距離(mm)
1           1       59.01 
2           6       -8.16 
3           11      11.40 
4           19      -21.99 
5           21      15.64 
非球面係数
第12面  K=      0              第19面           K=      0
A4=    -0.9515E-03                      A4=     0.3432E-02
A6=    -0.6226E-04                      A6=    -0.9151E-04
A8=     0.2572E-05                      A8=    -0.2191E-04
A10=   -0.3695E-06                      A10=    0.1479E-05
第13面  K=      0              第20面           K=      0
A4=    -0.6839E-03                      A4=     0.3669E-02
A6=    -0.4741E-04                      A6=     0.7886E-05
A8=     0.1281E-05                      A8=    -0.2771E-04
A10=   -0.2020E-06                      A10=    0.1458E-05
第17面  K=      0               第21面          K=      0
A4=    -0.8174E-03                      A4=    -0.7824E-03
A6=    -0.5039E-04                      A6=     0.9596E-04
A8=    -0.8458E-05                      A8=    -0.2233E-05
A10=    0.8733E-07
第18面  K=      0               第22面          K=      0
A4=    -0.6396E-03                      A4=    -0.6365E-03
A6=    -0.4068E-04                      A6=     0.5548E-04
A8=    -0.8283E-05                      A8=     0.3065E-06
A10=    0.4305E-06                      A10=   -0.4055E-07
【００５７】
（実施例２）
実施例２のレンズデータを表２に示す。図５は、実施例２のズームレンズの広角端（ａ）、中間（ｂ）、望遠端（ｃ）におけるレンズ断面図である。本実施例では、物体側より順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とからなる。第１レンズ群Ｇ１は、物体側より順に、負レンズＬ１と正レンズＬ２とを接合したレンズＬ１−２と、正レンズＬ３とを有する。第２レンズ群Ｇ２は、物体側より順に、負レンズＬ４と、負レンズＬ５と正レンズＬ６とを接合したレンズＬ５−６とを有する。第３レンズ群Ｌ３は、物体側より順に、絞りＳと、正レンズＬ７と負レンズＬ８とを接合したレンズＬ７−８と、正レンズＬ９と負レンズＬ１０とを接合したレンズＬ９−１０と、正レンズ１１とを有する。第４レンズ群Ｇ４は、負レンズ１２を有する。第５レンズ群Ｇ５は、正レンズ１３を有する。ＣＧはカバーガラスであり、Ｉは固体撮像素子の撮像面である。
【００５８】
本実施例では、広角端から望遠端側へと変倍する際に、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定される。尚、本実施例では、像ブレ補正時に、絞りＳと接合レンズＬ７−８が、第1レンズ群Ｇ１から第5レンズ群Ｇ５で構成される光軸に対して直交方向に駆動される。絞りＳとレンズＬ７−８が３ａレンズ群に相当し、レンズＬ９−１０と正レンズ１１が３ｂレンズ群に相当する。
【００５９】
図６は、実施例２の広角端における球面収差（ａ）、非点収差（ｂ）、歪曲収差（ｃ）の収差図である。図７は、実施例２の中間における球面収差（ａ）、非点収差（ｂ）、歪曲収差（ｃ）の収差図である。図８は、実施例２の望遠端における球面収差（ａ）、非点収差（ｂ）、歪曲収差（ｃ）の収差図である。
【００６０】
［表２］
実施例2
f(全系の焦点距離：ｍｍ)=4.70（広角端）、22.80（中間）、88.58（望遠端）
Fno=3.01（広角端）、4.96（中間）、5.89（望遠端）          
fB(カバーガラスから結像面までの距離：ｍｍ)=1.1941
2ω＝79°（広角端）、19°（中間）、5°（望遠端）
Y(撮像面片側対角最大像高：ｍｍ)= 3.845(ただし理想像高)
面番号  R(mm)     D(mm)  Nd           νd
1       131.620   0.80   1.903658     31.3
2       32.019    3.44   1.496997     81.6
3      -72.950    0.15 
4       24.753    2.13   1.804200     46.5
5       66.507    d1
6      -63.476    0.60   1.910823     35.2
7       9.464     2.82
8      -10.726    0.50   1.487490     70.4
9       15.425    1.31   1.945945     17.9
10      213.458   d2
11(絞り) 無限     0.30
12*     8.000     2.31   1.589130     61.2
13     -53.067    1.51   1.806100     33.2
14*     19.509    0.15      
15      6.829     1.50   1.595510     39.2
16      18.024    1.00   1.806100     33.2
17      6.698     0.20     
18      7.044     2.34   1.497103     81.5
19*    -15.460    d3        
20*    -82.381    1.20   1.851348     40.1
21*     10.351    d4        
22*    -34.948    2.29   1.530480     55.7
23*    -7.063     4.00     
24      無限      0.500  1.516798     64.1
25      無限      fB          
手振れレンズ：11面〜14面
1群：1面〜5面      
2群：6面〜10面    
3群：11面〜19面
4群：20面〜21面
5群：22面〜23面
各ポジションの焦点距離(mm)、Fナンバー、群間(mm) 
F      Fno     d1      d2      d3      d4
広角端    4.70   3.01    1.25    24.50   2.69    1.94 
中間      22.80  4.96    15.93   8.27    5.31    9.06 
望遠端    88.58  5.89    29.11   1.00    6.13    12.49 
入射瞳位置(L1から像側が正)、射出瞳位置(撮像面より物体側が負)
前側主点位置(L1から像側が正)、後側主点位置(撮像面より物体側が負)
ENTP(mm)  EXTP(mm)  H1(mm)  H2(mm)
13.94     -85.36    17.79   -4.70 
47.19     344.67    71.27   -22.79
138.31    12.91     335.32  -88.63 
レンズ群データ        
レンズ群    始面    焦点距離(mm)
1           1       45.05
2           6       -7.32 
3           11      10.02
4           20      -10.67
5           22      16.15 
非球面係数
第12面  K=      0              第20面           K=      0
A4=     0.2130E-03                      A4=     0.2012E-03
A6=     0.1967E-05                      A6=     0.8626E-04
A8=     0.3423E-06                      A8=    -0.2361E-04
A10=    0.7301E-09                      A10=    0.1644E-05
第14面  K=      0              第21面           K=      0
A4=     0.5173E-03                      A4=     0.4432E-03
A6=     0.4548E-05                      A6=     0.1547E-03
A8=     0.5257E-06                      A8=    -0.3360E-04
A10=    0.8369E-08                      A10=    0.2270E-05
第19面  K=      0              第22面           K=      0
A4=     0.6288E-03                      A4=    -0.2938E-03
A6=     0.1241E-04                      A6=     0.7484E-04
A8=    -0.1151E-05                      A8=    -0.1191E-05
A10=    0.6714E-07
第23面  K=      0
A4=     0.2358E-03
A6=     0.3747E-04
A8=     0.1067E-05
A10=   -0.3574E-07
【００６１】
（実施例３）
実施例３のレンズデータを表３に示す。図９は、実施例３のズームレンズの広角端（ａ）、中間（ｂ）、望遠端（ｃ）におけるレンズ断面図である。本実施例では、物体側より順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とからなる。第１レンズ群Ｇ１は、物体側より順に、負レンズＬ１と正レンズＬ２とを接合したレンズＬ１−２と、正レンズＬ３とを有する。第２レンズ群Ｇ２は、物体側より順に、負レンズＬ４と、負レンズＬ５と正レンズＬ６とを接合したレンズＬ５−６とを有する。第３レンズ群Ｌ３は、物体側より順に、絞りＳと、正レンズＬ７と負レンズＬ８とを接合したレンズＬ７−８と、正レンズＬ９と負レンズＬ１０とを接合したレンズＬ９−１０と、正レンズ１１とを有する。第４レンズ群Ｇ４は、負レンズ１２を有する。第５レンズ群Ｇ５は、正レンズ１３を有する。ＣＧはカバーガラスであり、Ｉは固体撮像素子の撮像面である。
【００６２】
本実施例では、広角端から望遠端側へと変倍する際に、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定される。尚、本実施例では、像ブレ補正時に、絞りＳと接合レンズＬ７−８が、第1レンズ群Ｇ１から第5レンズ群Ｇ５で構成される光軸に対して直交方向に駆動される。絞りＳとレンズＬ７−８が３ａレンズ群に相当し、レンズＬ９−１０と正レンズ１１が３ｂレンズ群に相当する。
【００６３】
図１０は、実施例３の広角端における球面収差（ａ）、非点収差（ｂ）、歪曲収差（ｃ）の収差図である。図１１は、実施例３の中間における球面収差（ａ）、非点収差（ｂ）、歪曲収差（ｃ）の収差図である。図１２は、実施例３の望遠端における球面収差（ａ）、非点収差（ｂ）、歪曲収差（ｃ）の収差図である。
【００６４】
［表３］
実施例3          
f(全系の焦点距離：ｍｍ)=4.70（広角端）、22.51（中間）、88.54（望遠端）
Fno=3.01（広角端）、5.12（中間）、5.90（望遠端）
fB(カバーガラスから結像面までの距離：ｍｍ)=1.1941
2ω=79°（広角端）、19°（中間）、5°（望遠端）
Y(撮像面片側対角最大像高：ｍｍ)= 3.845(ただし理想像高)
面番号  R(mm)     D(mm)  Nd           νd
1       115.476   0.80   1.903658     31.3
2       37.906    3.26   1.496997     81.6
3      -62.365    0.15 
4       26.682    1.87   1.713000     53.9
5       61.081    d1
6      -36.908    0.60   1.910823     35.2
7       10.442    1.91 
8      -12.888    0.50   1.487490     70.4
9       13.338    1.35   1.945945     17.9
10      77.987    d2
11(絞り) 無限     0.30          
12*     8.000     2.26   1.553319     71.6
13     -65.000    2.60   1.688930     31.1
14*     27.642    0.15 
15      6.378     1.50   1.723417     37.9
16      11.000    0.58   1.903658     31.3
17      5.850     0.20 
18      6.431     1.77   1.497103     81.5
19*    -36.847    d3
20*     379.991   1.35   1.851348     40.1
21*     8.929     d4
22*    -54.309    2.26   1.530480     55.7
23*    -7.785     4.00 
24      無限      0.500  1.516798     64.1
25      無限      fB
手振れレンズ：11面〜14面
1群：1面〜5面
2群：6面〜10面    
3群：11面〜19面
4群：20面〜21面
5群：22面〜23面
各ポジションの焦点距離(mm)、Fナンバー、群間(mm) 
F      Fno     d1      d2      d3      d4
広角端    4.70   3.01    1.42    24.50   1.52    2.27 
中間      22.51  5.12    16.42   8.62    3.60    10.53 
望遠端    88.54  5.90    31.43   1.00    4.77    12.65 
入射瞳位置(L1から像側が正)、射出瞳位置(撮像面より物体側が負)
前側主点位置(L1から像側が正)、後側主点位置(撮像面より物体側が負)
ENTP(mm)  EXTP(mm)  H1(mm)  H2(mm)
13.91     -81.30    17.67   -4.69
46.04     293.28    69.99   -22.52 
141.71    41.13     309.62  -88.57
レンズ群データ        
レンズ群    始面    焦点距離(mm)
1           1       48.48
2           6       -7.60 
3           11      9.46
4           20      -10.70
5           22      16.77
非球面係数
第12面  K=      0              第20面           K=      0
A4=     0.1760E-03                      A4=     0.1088E-02
A6=     0.9198E-06                      A6=    -0.6239E-04
A8=     0.4273E-06                      A8=    -0.6726E-06
A10=   -0.1259E-07                      A10=    0.3305E-06
第14面  K=      0              第21面           K=      0
A4=     0.5648E-03                      A4=     0.1810E-02
A6=     0.7346E-05                      A6=    -0.3734E-04
A8=     0.4492E-06                      A8=    -0.5516E-05
A10=    0.7377E-06
第19面  K=      0              第22面           K=      0
A4=     0.4693E-03                      A4=     0.1070E-03
A6=     0.7542E-05                      A6=     0.4125E-04
A8=    -0.5075E-06                      A8=    -0.9579E-06
A10=    0.6613E-07
第23面  K=      0
A4=     0.3416E-03
A6=     0.3424E-04
A8=    -0.3204E-06
A10=   -0.1153E-07
【００６５】
（実施例４）
実施例４のレンズデータを表４に示す。図１３は、実施例４のズームレンズの広角端（ａ）、中間（ｂ）、望遠端（ｃ）におけるレンズ断面図である。本実施例では、物体側より順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５とからなる。第１レンズ群Ｇ１は、物体側より順に、負レンズＬ１と正レンズＬ２とを接合したレンズＬ１−２と、正レンズＬ３とを有する。第２レンズ群Ｇ２は、物体側より順に、負レンズＬ４と、負レンズＬ５と正レンズＬ６とを接合したレンズＬ５−６とを有する。第３レンズ群Ｌ３は、物体側より順に、負レンズＬ７と正レンズＬ８とを接合したレンズＬ７−８と、絞りＳと、正レンズＬ９と負レンズＬ１０とを接合したレンズＬ９−１０と、正レンズ１１とを有する。第４レンズ群Ｇ４は、負レンズ１２を有する。第５レンズ群Ｇ５は、正レンズ１３を有する。ＣＧはカバーガラスであり、Ｉは固体撮像素子の撮像面である。
【００６６】
本実施例では、広角端から望遠端側へと変倍する際に、第１レンズ群Ｇ１は物体側に移動し、第２レンズ群Ｇ２は像側に移動し、第３レンズ群Ｇ３は物体側に移動し、第４レンズ群Ｇ４は物体側に移動し、第５レンズ群Ｇ５は固定される。尚、本実施例では、像ブレ補正時に、接合レンズＬ７−８と絞りＳが、第1レンズ群Ｇ１から第5レンズ群Ｇ５で構成される光軸に対して直交方向に駆動される。絞りＳとレンズＬ７−８が３ａレンズ群に相当し、レンズＬ９−１０と正レンズ１１が３ｂレンズ群に相当する。
【００６７】
図１４は、実施例４の広角端における球面収差（ａ）、非点収差（ｂ）、歪曲収差（ｃ）の収差図である。図１５は、実施例４の中間における球面収差（ａ）、非点収差（ｂ）、歪曲収差（ｃ）の収差図である。図１６は、実施例４の望遠端における球面収差（ａ）、非点収差（ｂ）、歪曲収差（ｃ）の収差図である。
【００６８】
［表４］
実施例4          
f(全系の焦点距離：ｍｍ)=4.70（広角端）、22.51（中間）、88.58（望遠端）
Fno=2.99（広角端）、5.21（中間）、5.90（望遠端）
fB(カバーガラスから結像面までの距離：ｍｍ)=1.1941
2ω=79°（広角端）、19°（中間）、5°（望遠端）
Y(撮像面片側対角最大像高：ｍｍ)= 3.845(ただし理想像高)
面番号  R(mm)     D(mm)  Nd           νd
1       94.662    0.80   1.903658     31.3 
2       33.419    3.19   1.496997     81.6 
3      -88.990    0.15 
4       24.754    2.19   1.729160     54.6 
5       70.917    d1
6      -59.667    0.60   1.910823     35.2 
7       8.587     2.86 
8      -10.714    0.50   1.487490     70.4 
9       15.741    1.33   1.945945     17.9 
10      643.471   d2
11*     14.781    1.77   1.821146     24.0 
12      8.000     0.01   1.693500     53.2 
13*    -97.718    1.00     
14(絞り) 無限     1.00          
15      8.019     2.60   1.723417     37.9 
16     -8.561     1.42   1.834001     37.3 
17      6.741     0.50     
18      8.231     1.99   1.497103     81.5
19*    -11.656    d3
20*    -33.959    1.00   1.851348     40.1
21*     14.524    d4
22*    -85.557    2.39   1.530480     55.7 
23*    -9.463     4.00 
24      無限      0.500  1.516798     64.1
25      無限      fB
手振れレンズ：11面〜14面
1群：1面〜5面      
2群：6面〜10面    
3群：11面〜19面
4群：20面〜21面
5群：22面〜23面
各ポジションの焦点距離(mm)、Fナンバー、群間(mm) 
F      Fno     d1      d2      d3      d4
広角端    4.70   2.99    1.24    24.50   2.25    1.90
中間      22.51  5.21    15.34   8.51    4.80    9.89 
望遠端    88.58  5.90    28.51   0.52    6.87    10.39 
入射瞳位置(L1から像側が正)、射出瞳位置(撮像面より物体側が負)
前側主点位置(L1から像側が正)、後側主点位置(撮像面より物体側が負)
ENTP(mm)  EXTP(mm)  H1(mm)  H2(mm)
13.84     -82.44    17.51   -4.70
47.85     -220.02   67.22   -22.49
158.69    -359.46   221.88  -88.57 
レンズ群データ
レンズ群    始面    焦点距離(mm)
1           1       44.14
2           6       -6.92
3           11      10.62
4           20      -11.77
5           22      19.76 
非球面係数
第11面  K=      0              第20面           K=      0
A4=     0.1061E-03                      A4=     0.1900E-02
A6=     0.3235E-06                      A6=     0.7191E-05
A8=     0.9871E-07                      A8=    -0.2740E-04
A10=   -0.2085E-08                      A10=    0.2122E-05
第13面  K=      0               第21面          K=      0
A4=     0.2007E-03                      A4=     0.2580E-02
A6=     0.1286E-05                      A6=     0.9535E-04
A8=     0.6020E-07                      A8=    -0.4219E-04
A10=    0.3056E-05
第19面  K=      0               第22面          K=      0
A4=     0.7567E-04                      A4=     0.3896E-03
A6=     0.1000E-05                      A6=     0.7582E-04
A8=    -0.9262E-06                      A8=    -0.1967E-05
A10=  0.4692E-07
第23面  K=      0
A4=     0.2382E-03
A6=     0.4837E-04
A8=     0.8965E-06
A10=   -0.7071E-07
【００６９】
（実施例５）
実施例５のレンズデータを表２に示す。図１７は、実施例５のズームレンズの広角端（ａ）、中間（ｂ）、望遠端（ｃ）におけるレンズ断面図である。本実施例では、物体側より順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４とからなる。第１レンズ群Ｇ１は、物体側より順に、負レンズＬ１と正レンズＬ２とを接合したレンズＬ１−２と、正レンズＬ３と、正レンズＬ４を有する。第２レンズ群Ｇ２は、物体側より順に、負レンズＬ５と、負レンズＬ６と正レンズＬ７とを接合したレンズＬ６−７とを有する。第３レンズ群Ｌ３は、物体側より順に、正レンズＬ８と負レンズＬ９とを接合したレンズＬ８−９と、絞りＳと、正レンズＬ１０と負レンズＬ１１とを接合したレンズＬ１０−１１と、正レンズ１２とを有する。第４レンズ群Ｇ４は、正レンズ１３を有する。ＣＧはカバーガラスであり、Ｉは固体撮像素子の撮像面である。
【００７０】
本実施例では、広角端から望遠端側へと変倍する際に、第１レンズ群Ｇ１は物体側に移動し、第２レンズ群Ｇ２は像側に移動し、第３レンズ群Ｇ３は物体側に移動し、第４レンズ群Ｇ４は広角端から中間に向かうに連れて像側に移動し、中間から望遠端に向かうに連れて中間位置より物体側へ移動する。尚、本実施例では、像ブレ補正時に、絞りＳと接合レンズＬ１０−１１と正レンズ１２が、一体で第1レンズ群Ｇ１から第5レンズ群Ｇ５で構成される光軸に対して直交方向に駆動される。絞りＳとレンズＬ８−９が３ａレンズ群に相当し、レンズＬ１０−１１と正レンズ１２が３ｂレンズ群に相当する。
【００７１】
図１８は、実施例５の広角端における球面収差（ａ）、非点収差（ｂ）、歪曲収差（ｃ）の収差図である。図１９は、実施例５の中間における球面収差（ａ）、非点収差（ｂ）、歪曲収差（ｃ）の収差図である。図２０は、実施例５の望遠端における球面収差（ａ）、非点収差（ｂ）、歪曲収差（ｃ）の収差図である。
【００７２】
［表５］
実施例5          
f(全系の焦点距離：ｍｍ)=4.69（広角端）、22.41（中間）、87.70（望遠端）
Fno=2.89（広角端）、5.19（中間）、5.85（望遠端）
fB(カバーガラスから結像面までの距離：ｍｍ)=1.1941
2ω=79°（広角端）、19°（中間）、5°（望遠端）
Y(撮像面片側対角最大像高：ｍｍ)= 3.845(ただし理想像高)
面番号  R(mm)     D(mm)  Nd           νd
1       120.066   0.80   1.903658     31.3 
2       33.445    3.16   1.496997     81.6 
3      -429.220   0.15
4       31.904    2.72   1.496997     81.6 
5       322.972   0.15 
6       38.525    1.70   1.883000     40.8 
7       88.581    d1
8      -59.584    0.60   1.903658     31.3 
9       7.729     2.78
10     -15.300    0.50   1.517420     52.1
11      9.657     1.71   1.945945     17.9 
12      52.230    d2
13*     6.200     2.50   1.618806     63.8 
14      27.899    2.27   1.821146     24.0 
15*     10.176    0.80
16(絞り) 無限     0.50 
17      7.344     2.00   1.639800     34.5 
18      8.474     2.00   1.922860     20.8 
19      5.208     1.23
20*     8.778     1.76   1.589130     61.2 
21*    -50.000    d3
22*     28.422    1.80   1.497103     81.5 
23*    -23.966    d4
24      無限      0.500  1.516798     64.1
25      無限      fB
手振れレンズ：16面〜21面
1群：1面〜7面
2群：8面〜12面
3群：13面〜21面
4群：22面〜23面
各ポジションの焦点距離(mm)、Fナンバー、群間(mm) 
F      Fno     d1      d2      d3      d4
広角端    4.69   2.89    1.00    21.88   4.12    3.15 
中間      22.41  5.19    15.21   8.20    17.70   2.62 
望遠端    87.70  5.85    27.36   0.50    21.50   2.78 
入射瞳位置(L1から像側が正)、射出瞳位置(撮像面より物体側が負)
前側主点位置(L1から像側が正)、後側主点位置(撮像面より物体側が負)
ENTP(mm)  EXTP(mm)  H1(mm)  H2(mm)
15.19     -81.58    18.87   -4.68
52.46     -302.87   72.80   -22.42
177.51    557.05    277.69  -87.77
レンズ群データ        
レンズ群    始面    焦点距離(mm)
1           1       42.01
2           8       -6.97
3           13      12.87
4           22      26.38
非球面係数
第13面  K=      0               第21面          K=       0
A4=     0.1025E-03                      A4=     -0.7986E-03
A6=    -0.3411E-06                      A6=     -0.1157E-04
A8=     0.2904E-06                      A8=     -0.8266E-05
A10=    0.1578E-08                      A10=     0.5008E-06
第15面  K=      0               第22面          K=       0
A4=     0.9449E-03                      A4=     -0.8621E-03
A6=     0.1702E-04                      A6=      0.4780E-04
A8=     0.2485E-05                      A8=     -0.1936E-05
A10=    0.3817E-07
第20面  K=       0              第23面          K=       0
A4=     -0.6489E-03                     A4=     -0.1109E-02
A6=      0.4672E-05                     A6=      0.7417E-04
A8=     -0.1122E-04                     A8=     -0.3219E-05
A10=     0.8375E-06                     A10=     0.2932E-07
【００７３】
表６に、請求項に記載した条件式の値をまとめて示す。
【００７４】
【表６】
0005626705.tif 000003
【符号の説明】
【００７５】
Ｇ１〜Ｇ５  レンズ群
Ｌ１〜Ｌ１３  レンズ
ＣＧ  カバーガラス
Ｉ  固体撮像素子の撮像面
【図１】
0005626705.tif 000004
【図２】
0005626705.tif 000005
【図３】
0005626705.tif 000006
【図４】
0005626705.tif 000007
【図５】
0005626705.tif 000008
【図６】
0005626705.tif 000009
【図７】
0005626705.tif 000010
【図８】
0005626705.tif 000011
【図９】
0005626705.tif 000012
【図１０】
0005626705.tif 000013
【図１１】
0005626705.tif 000014
【図１２】
0005626705.tif 000015
【図１３】
0005626705.tif 000016
【図１４】
0005626705.tif 000017
【図１５】
0005626705.tif 000018
【図１６】
0005626705.tif 000019
【図１７】
0005626705.tif 000020
【図１８】
0005626705.tif 000021
【図１９】
0005626705.tif 000022
【図２０】
0005626705.tif 000023